(57)【特許請求の範囲】
【請求項１】
アース対象物をアースするためのアース装置であって、
アース側配線と、
前記アース側配線に対して常には導通されていない検知側配線と、
前記アース側配線および前記検知側配線の一端部に設けられ、前記アース対象物に装着されることにより、前記アース側配線と前記検知側配線とを導通させる装着部材と、
前記アース側配線および前記検知側配線の他端部に設けられ、アースのためのアース部材と
を備え、
前記装着部材は、
前記アース側配線の一端部に接続され、前記アース対象物を一方側から挟む第１通電部材と、
前記第１通電部材に対して間隔を隔てて対向配置され、前記装着部材が前記アース対象物に装着されたときに、前記アース対象物を他方側から挟み、前記第１通電部材と導通される第２通電部材と、
前記第１通電部材および前記第２通電部材を同軸上で回転自在に支持し、前記第１通電部材と前記第２通電部材との間を常には絶縁する絶縁部材と、
前記第２通電部材に対して間隔を隔てて対向配置され、前記検知側配線の一端部に接続されるスイッチ電極と、
前記第２通電部材と前記スイッチ電極とを電気的に接続するＯＮ状態と、前記第２通電部材と前記スイッチ電極との電気的な接続を解除するＯＦＦ状態とに移動可能なスイッチを有し、前記検知側配線に接続され、前記検知側配線の導通を検知する検知手段と
を備える
ことを特徴とする、アース装置。
【請求項２】
前記検知手段は、前記検知側配線の導通を検知したときに点灯する表示灯を備えることを特徴とする、請求項１に記載のアース装置。
【請求項３】
前記検知手段は、前記検知側配線の導通を検知したときに検知音を発生する検知音発生装置を備えることを特徴とする、請求項１または２に記載のアース装置。
【発明の詳細な説明】
【技術分野】
【０００１】
本発明は、アース対象物をアースするためのアース装置に関する。
【背景技術】
【０００２】
揮発性の有機溶剤を貯蔵するための容器や、高電圧が印加される装置には、帯電を防止し、除電するためのアース装置が接続される場合がある。
アースによって、例えば、有機溶剤を扱うときに、容器が帯電して静電気が発生し、有機溶剤に引火することや、例えば、高電圧が印加される装置を除電して、感電を防止することができる。
【０００３】
このようなアース装置として、例えば、アース線を介して接地される接地棒と、絶縁物を介して接地棒に連結されるとともに、リード線を介して接地される補助電極と、リード線の途中に設けられる表示灯とを備え、接地棒とともに補助電極も高電圧ボックスに当接させて、電源から、表示灯、リード線、補助電極、高電圧ボックス、接地棒、アース線、大地電位部を介して電源に戻る閉ループを形成することにより、表示灯を点灯させる接地装置が提案されている（例えば、特許文献１参照。）。
【０００４】
この接地装置によれば、高電圧ボックスが接地棒により接地されていないと、表示灯が消灯する。そのため、高電圧ボックスが接地棒により接地されていることを、容易に確認することができる。
【先行技術文献】
【特許文献】
【０００５】
【特許文献１】特開平９−２１９２２６号公報
【発明の概要】
【発明が解決しようとする課題】
【０００６】
しかるに、特許文献１に記載の接地装置では、高電圧ボックスが接地棒により接地されていることを確認するためには、接地棒と補助電極との両方が高電圧ボックスに当接している必要があるところ、接地棒と補助電極とは、間隔を隔てて平行に配置されている。
そのため、障害物の干渉などにより、高電圧ボックスに、接地棒および補助電極のいずれか一方のみが当接し、他方が当接しない場合を生じる。すると、例えば、高電圧ボックスに、接地棒が当接し、補助電極が当接しない場合には、接地棒により高電圧ボックスが接地されているにもかかわらず、表示灯が消灯してしまい、高電圧ボックスが接地棒により接地されていることを確認できないという不具合を生じる。
【０００７】
そこで、本発明の目的は、アース対象物がアースされていることを確実に検知することができるアース装置を提供することにある。
【課題を解決するための手段】
【０００８】
上記目的を達成するため、本発明のアース装置は、アース対象物をアースするためのアース装置であって、アース側配線と、前記アース側配線に対して常には導通されていない検知側配線と、前記アース側配線および前記検知側配線の一端部に設けられ、前記アース対象物に装着されることにより、前記アース側配線と前記検知側配線とを導通させる装着部材と、前記アース側配線および前記検知側配線の他端部に設けられ、アースのためのアース部材と、前記検知側配線に接続され、前記検知側配線の導通を検知する検知手段とを備えることを特徴としている。
【０００９】
このアース装置は、アース側配線と、検知手段を備える検知側配線とを、常には導通されていない状態で備えており、アース側配線と検知側配線とは、アース側配線および検知側配線の一端部に設けられている装着部材がアース対象物に装着されることにより、導通される。また、アース側配線および検知側配線の他端部には、アース部材が設けられている。
【００１０】
そのため、装着部材がアース対象物に装着されることにより、アース対象物と、アース側配線および検知側配線との導通が確保される。
これにより、検知側配線から、アース対象物、アース側配線を順次介してアース部材へ至る直列回路が形成され、検知側配線の導通を検知手段によって検知することによって、アース対象物がアース側配線によりアースされていることを、確実に、検知することができる。
【００１１】
また、本発明のアース装置では、前記装着部材は、前記アース側配線の一端部に接続される第１通電部材と、前記第１通電部材に対して間隔を隔てて対向配置されるように前記検知側配線の一端部に接続され、前記装着部材が前記アース対象物に装着されたときに、前記第１通電部材と導通される第２通電部材と、前記第１通電部材と前記第２通電部材との間を常には絶縁する絶縁部材とを備え、前記第１通電部材と前記第２通電部材との間に前記アース対象物を挟むように装着することにより、前記アース対象物に対して位置固定されることが好適である。
【００１２】
このアース装置では、装着部材は、第１通電部材と第２通電部材との間にアース対象物を挟むように装着することにより、アース対象物に対して位置固定される。
そのため、装着部材をアース対象物に装着したときには、アース対象物のほぼ同じ部位の両側において、第１通電部材と第２通電部材とを位置固定することができる。
しかも、第１通電部材と第２通電部材との間は、常には、絶縁部材により絶縁されている。
【００１３】
そのため、装着部材がアース対象物に装着されたときには、確実に、アース対象物を介して第１通電部材と第２通電部材とが導通される。
その結果、アース対象物がアース側配線によりアースされていることを、より確実に、検知することができる。
また、本発明のアース装置では、前記第１通電部材は、前記アース対象物を一方側から挟む第１挟持部材であり、前記第２通電部材は、前記アース対象物を他方側から挟む第２挟持部材であり、前記絶縁部材は、前記第１挟持部材および前記第２挟持部材を同軸上で回転自在に支持する支持部材であることが好適である。
【００１４】
このアース装置では、第１挟持部材により、アース対象物を一方側から挟み、第２挟持部材により、アース対象物を他方側から挟むことができる。
そのため、確実に、アース対象物を第１挟持部材と第２挟持部材との間に挟むことができる。
また、本発明のアース装置では、前記検知手段は、前記検知側配線の導通を検知したときに点灯する表示灯を備えることが好適である。
【００１５】
このアース装置では、検知手段が検知側配線の導通を検知したことを、表示灯の点灯により確認することができる。
また、本発明のアース装置では、前記検知手段は、前記検知側配線の導通を検知したときに検知音を発生する検知音発生装置を備えることが好適である。
このアース装置では、検知手段が検知側配線の導通を検知したことを、検知音発生装置からの検知音により確認することができる。
【発明の効果】
【００１６】
本発明のアース装置によれば、アース対象物がアース側配線によりアースされていることを、確実に、検知することができる。
【図面の簡単な説明】
【００１７】
【図１】本発明のアース装置の一例としてのアース線を示す概略構成図である。
【図２】図１に示すアース線の装着側クリップの拡大図である。
【図３】図１に示すアース線のアース側クリップの拡大図である。
【図４】図１に示すアース線によるアースを説明するための回路図である。
【発明を実施するための形態】
【００１８】
図１は、本発明のアース装置の一例としてのアース線を示す概略構成図である。図２は、図１に示すアース線の装着側クリップの拡大図である。図３は、図１に示すアース線のアース側クリップの拡大図である。
アース線１は、図１に示すように、揮発性の有機溶剤などを収容するための金属製の容器Ｃなどをアースするためのケーブルであり、一方側端部（一端部。以下同じ。）がアース対象物の一例としての容器Ｃに接続され、他方側端部（他端部。以下同じ。）が鉄柱などのアース電位部材Ｅに接続される。
【００１９】
アース線１は、装着部材の一例としての装着側クリップ２と、アース部材の一例としてのアース側クリップ３と、アース側配線４と、検知側配線５とを備えている。
装着側クリップ２は、アース線１の一端部に設けられている。
装着側クリップ２は、図２に示すように、第１通電部材としての第１挟持部材１１と、第１挟持部材１１に対して間隔を隔てて対向配置される第２通電部材としての第２挟持部材１２と、絶縁部材の一例としての支持部材１３とを備えている。
【００２０】
第１挟持部材１１は、金属などの導電性材料から、長手方向（一方および他方に延びる方向。以下同じ）に延びる杆状（断面略Ｕ字形状）に形成されている。また、第１挟持部材１１の長手方向一端部には、対向方向（第１挟持部材１１と第２挟持部材１２との対向方向。以下同じ。）内面において、鋸歯状の滑り止め部１８が形成されている。
第２挟持部材１２は、金属などの導電性材料から、長手方向に延び、第１挟持部材１１よりも短い杆状（断面略Ｕ字形状）に形成されている。また、第２挟持部材１２の長手方向一端部には、対向方向内面において、鋸歯状の滑り止め部１８が形成されている。
【００２１】
支持部材１３は、第１支持部材１４および第２支持部材１５を備えている。
第１支持部材１４は、絶縁性の樹脂からなり、第１被覆部１６と、第１連結部１７とを一体的に備えている。
第１被覆部１６は、長手方向に沿って延びる略筒形状に形成され、内部に第１挟持部材１１の長手方向他端部が挿通されている。これにより、第１挟持部材１１の長手方向他端部は、第１被覆部１６によって被覆されている。
【００２２】
第１連結部１７は、頂部が湾曲された略三角形の平板形状に形成され、第１被覆部１６の対向方向内面から、対向方向内側に向かって突出している。また、第１連結部１７には、幅方向（長手方向および対向方向の両方と直交する方向。以下同じ。）に沿って、貫通穴１９が貫通形成されている。
第２支持部材１５は、第１支持部材１４と同様に、絶縁性の樹脂からなり、第２被覆部２０と、第２連結部２１とを一体的に備えている。
【００２３】
第２被覆部２０は、長手方向に沿って延びる略筒形状に形成されている。また、第２被覆部２０の長手方向一端部には、第２挟持部材１２の長手方向他端部が挿入されている。これにより、第２挟持部材１１の長手方向他端部は、第２被覆部２０によって被覆されている。
第２連結部２１は、第１連結部１７と同様に、頂部が湾曲された略三角形の平板形状に形成され、第２被覆部２０の対向方向内面から対向方向内側に向かって突出している。また、第２連結部２１には、幅方向に沿って、貫通穴１９が貫通形成されている。
【００２４】
また、第２被覆部２０内には、スイッチ電極２２、スイッチ２４、および、表示灯の一例としてのＬＥＤ２５が設けられている。
スイッチ電極２２は、第２挟持部材１２と同様の材料から、第２挟持部材１２よりも短い杆状に形成されている。また、スイッチ電極２２は、その長手方向一端部が第２被覆部２０の長手方向他端部に被覆されるとともに、その長手方向他端部が第２被覆部２０の長手方向他端部から露出されるように、長手方向において第２挟持部材１２と間隔を隔てて、第２被覆部２０の長手方向他端部に挿入されている。
【００２５】
スイッチ２４は、金属などの導電性部材からなり、対向方向に進退可能な略円筒形状の押しボタンスイッチであり、図示しないばねなどの付勢部材などにより付勢されて、常には、第２連結部２１の反対側に向かって第２被覆部２０から突出（進出）するように、設けられている。また、スイッチ２４は、対向方向において、第２挟持部材１２の長手方向他端部、および、スイッチ電極２２の長手方向一端部と対向するように、第２被覆部２０の長手方向他端部に配置されている。
【００２６】
スイッチ２４は、図示しない付勢部材の付勢力に抗して第２被覆部２０に向かって押圧されることにより、第２被覆部２０内に退避される（ＯＮ状態）。すると、スイッチ２４が、第２挟持部材１２の長手方向他端部、および、スイッチ電極２２の長手方向一端部と接触し、第２挟持部材１２およびスイッチ電極２２が、スイッチ２４を介して互いに電気的に接続される。
【００２７】
また、スイッチ２４は、第２被覆部２０に向かう押圧を解除されると、図示しない付勢部材の付勢力により、第２被覆部２０内から進出される（ＯＦＦ状態）。すると、スイッチ２４が、第２挟持部材１２の長手方向他端部、および、スイッチ電極２２の長手方向一端部から離間し、第２挟持部材１２およびスイッチ電極２２の電気的な接続が解除される。
【００２８】
ＬＥＤ２５は、対向方向において、第２挟持部材１２の長手方向他端部と対向するように配置され、第２挟持部材１２の長手方向他端部と、電気的に接続されている。ＬＥＤ２５は、スイッチ２４とともに検知手段を構成する。
そして、第１被覆部１６と第２被覆部２０とは、幅方向に投影したときに第１連結部１７および第２連結部２１の各貫通穴１９が重なるように、両第１連結部１７および両第２連結部２１を重ねて、組み合わされている。
【００２９】
そして、各貫通穴１９には、回動軸２３が、幅方向に沿って相対回転自在に挿通されている。これにより、第１挟持部材１１および第２挟持部材１２は、ともに、回動軸２３を支点として、回転自在に支持されている。また、第１被覆部１６および第２被覆部２０は、図示しないばねなどの付勢部材により、第１挟持部材１１および第２挟持部材１２の一端部が互いに近接するように付勢されている。
【００３０】
なお、第１挟持部材１１および第２挟持部材１２は、図示しないストッパにより、それらの一端部が互いにわずかに間隔を隔てて対向するように、規制されている。これにより、第１挟持部材１１の一端部と、第２挟持部材１２の一端部との間は、常には絶縁されている。
また、第１挟持部材１１の他端部と、第２挟持部材１２の他端部との間は、支持部材１３によって絶縁されている。
【００３１】
すなわち、第１挟持部材１１と第２挟持部材１２との間は、常には、支持部材１３によって絶縁されている。そして、第１挟持部材１１の一端部と、第２挟持部材１２の一端部との間に、上記わずかな間隔より厚い導体が挟まれたときに、第１挟持部材１１と第２挟持部材１２とが導通される。
装着側クリップ２では、第１挟持部材１１および第２挟持部材１２の他端部を、図示しない付勢部材の付勢力に抗して対向方向内側に向かって押圧すると、第１挟持部材１１および第２挟持部材１２が回動軸２３を支点に回動されて、第１挟持部材１１および第２挟持部材１２の一端部が互いに離間される。
【００３２】
また、第１挟持部材１１および第２挟持部材１２の他端部への押圧を解除すると、図示しない付勢部材の付勢力により、第１挟持部材１１および第２挟持部材１２が回動軸２３を支点に回動されて、第１挟持部材１１および第２挟持部材１２の一端部が互いに近接される。
アース側クリップ３は、アース線１の他端部に設けられている（図１参照）。
【００３３】
アース側クリップ３は、図３に示すように、第１挟持部材３１と、第１挟持部材３１に対して間隔を隔てて対向配置される第２挟持部材３２と、支持部材３３とを備えている。
第１挟持部材３１および第２挟持部材３２は、第１挟持部材１１と同様に、金属などの導電性材料から、長手方向に延びる杆状（断面視略Ｕ字形状）に形成されている。また、第１挟持部材３１および第２挟持部材３２の長手方向他端部には、それらの対向方向内面において、鋸歯状の滑り止め部３８が形成されている。
【００３４】
支持部材３３は、第１支持部材３４および第２支持部材３５を備えている。
第１支持部材３４および第２支持部材３５は、それぞれ、絶縁性の樹脂からなり、被覆部３６と、連結部３７とを一体的に備えている。
被覆部３６は、長手方向に沿って延びる略筒形状に形成され、内部に第１挟持部材３１または第２挟持部材３２の一端部が挿通されている。これにより、第１挟持部材３１または第２挟持部材３２の一端部は、被覆部３６によって被覆されている。
【００３５】
連結部３７は、頂部が湾曲された略三角形の平板形状に形成され、被覆部３６の対向方向内面から、対向方向内側に向かって突出している。また、連結部３７には、幅方向に沿って、貫通穴３９が貫通形成されている。
そして、第１支持部材３４および第２支持部材３５は、幅方向に投影したときに各貫通穴３９が重なるように、各連結部３７を重ねて組み合わされている。
【００３６】
そして、各貫通穴３９には、回動軸４０が、幅方向に沿って相対回転自在に挿通されている。これにより、第１挟持部材３１および第２挟持部材３２は、ともに、回動軸４０を支点として、回転自在に支持されている。また、両被覆部３６は、図示しないばねなどの付勢部材により、第１挟持部材３１および第２挟持部材３２の他端部が互いに近接するように付勢されている。
【００３７】
なお、第１挟持部材３１および第２挟持部材３２は、図示しないストッパにより、それらの他端部が互いにわずかに間隔を隔てて対向するように、規制されている。これにより、第１挟持部材３１の他端部と、第２挟持部材３２の他端部との間は、絶縁されている。
また、第１挟持部材３１の一端部と、第２挟持部材３２の一端部との間は、支持部材３３によって絶縁されている。
【００３８】
すなわち、第１挟持部材３１と第２挟持部材３２との間は、常には、支持部材３３によって絶縁されている。そして、第１挟持部材３１の他端部と、第２挟持部材３２の他端部との間に、上記わずかな間隔より厚い導体が挟まれたときに、第１挟持部材３１と第２挟持部材３２とが導通される。
アース側クリップ３では、第１挟持部材３１および第２挟持部材３２の一端部を、図示しない付勢部材の付勢力に抗して対向方向内側に向かって押圧すると、第１挟持部材３１および第２挟持部材３２が回動軸４０を支点に回動されて、第１挟持部材３１および第２挟持部材３２の他端部が互いに離間される。
【００３９】
また、第１挟持部材３１および第２挟持部材３２の一端部への押圧を解除すると、図示しない付勢部材の付勢力により、第１挟持部材３１および第２挟持部材３２が回動軸４０を支点に回動されて、第１挟持部材３１および第２挟持部材３２の他端部が互いに近接される。
アース側配線４は、長尺な導線であり、銅などの金属からなるワイヤーを、樹脂などの絶縁体により被覆することによって形成されている。
【００４０】
アース側配線４は、一端部が、装着側クリップ２の第１挟持部材１１の長手方向他端部に接続されており、他端部が、アース側クリップ３の第１挟持部材３１の長手方向一端部に接続されている。
検知側配線５は、アース側配線４と同様の長尺な導線であり、銅などの金属からなるワイヤーを、樹脂などの絶縁体により被覆することによって形成されている。
【００４１】
検知側配線５は、一端部が、装着側クリップ２のスイッチ電極２２の長手方向他端部に接続されており、他端部が、アース側クリップ３の第２挟持部材３２の長手方向一端部に接続されている。また、検知側配線５の途中には、ＬＥＤ２５の電源としての電池４１が設けられている。
そして、アース線１の使用状態においては、第１挟持部材１１と第２挟持部材１２との間に容器Ｃの一部を挟むように、装着側クリップ２が容器Ｃに装着されている。すなわち、第１挟持部材１１は、容器Ｃを対向方向一方側から挟み、第２挟持部材１２は、容器Ｃを対向方向他方側から挟んでいる。
【００４２】
また、第１挟持部材３１と第２挟持部材３２との間にアース電位部材Ｅの一部を挟むように、アース側クリップ３がアース電位部材Ｅに装着されている。
これにより、装着側クリップ２が容器Ｃに位置固定され、アース側クリップ３がアース電位部材Ｅに位置固定されている。
次に、図４を参照してアース線１の作用について説明する。
【００４３】
図４は、図１に示すアース線によるアースを説明するための回路図である。
アース線１は、使用状態において、図４に示すように、容器Ｃとアース電位部材Ｅとの間において、装着側クリップ２の第１挟持部材１１から、アース側配線４を介して、アース側クリップ３の第１挟持部材３１へ至るアース側ラインと、アース側クリップ３の第２挟持部材３２から、検知側配線５を介して、装着側クリップ２の第２挟持部材１２へ至る検知側ラインとを形成する。
【００４４】
そして、第１挟持部材１１と第２挟持部材１２とが容器Ｃを介して導通されるとともに、第１挟持部材３１と第２挟持部材３２とがアース電位部材Ｅを介して導通されている。
これにより、容器Ｃとアース電位部材Ｅとの間において、装着側クリップ２、アース側配線４、アース側クリップ３、検知側配線５を含む直列回路が形成されている。
なお、検知側ラインは、スイッチ２４が常にはＯＦＦ状態であるため、導通されていない。そのため、ＬＥＤ２５は、消灯している。
【００４５】
そして、アース側ラインの導通を確認するには、スイッチ２４をＯＮにする。すると、検知側ラインの導通が確保される。すると、電池４１からの電流が直列回路を流れ、ＬＥＤ２５が点灯する。
このように、ＬＥＤ２５の点灯により、アース側ラインの導通を確認することができる。
【００４６】
このようなアース線１によれば、アース側配線４と、スイッチ２４およびＬＥＤ２５が接続される検知側配線５とを、常には導通されていない状態で備えており、アース側配線４と検知側配線５とは、装着側クリップ２が容器Ｃに装着され、スイッチ２４のＯＮにより導通される。
そのため、装着側クリップ２が容器Ｃに装着され、スイッチ２４のＯＮにより、容器Ｃと、アース側配線４および検知側配線５との導通が確保される。
【００４７】
これにより、検知側配線５から、容器Ｃ、アース側配線４を順次介してアース側クリップ３へ至る直列回路が形成される。
その結果、検知側配線５の導通を、スイッチ２４のＯＮに基づくＬＥＤ２５の点灯によって検知することができ、容器Ｃがアース側配線４によりアースされていることを、確実に、検知することができる。
【００４８】
また、このようなアース線１によれば、装着側クリップ２は、第１挟持部材１１と第２挟持部材１２との間に容器Ｃを挟むように装着することにより、容器Ｃに対して位置固定される。
そのため、装着側クリップ２を容器Ｃに装着したときには、容器Ｃのほぼ同じ部位の両側において、第１挟持部材１１と第２挟持部材１２とを位置固定することができる。
【００４９】
しかも、第１挟持部材１１と第２挟持部材１２との間は、常には、支持部材１３により絶縁されている。
そのため、装着側クリップ２が容器Ｃに装着されたときには、確実に、容器Ｃを介して第１挟持部材１１と第２挟持部材１２とが導通される。
その結果、容器Ｃがアース側配線４によりアースされていることを、より確実に、検知することができる。
【００５０】
また、このようなアース線１によれば、第１挟持部材１１により、容器Ｃを対向方向一方側から挟み、第２挟持部材１２により、容器Ｃを対向方向他方側から挟むことができる。
そのため、確実に、容器Ｃを第１挟持部材１１と第２挟持部材１２との間に挟むことができる。
【００５１】
また、このようなアース線１によれば、検知側配線５の導通を、ＬＥＤ２５の点灯により、容易に確認することができる。
さらに、このようなアース線１によれば、スイッチ２４およびＬＥＤ２５が装置側クリップ２と一体的に設けられているので、操作性を向上させることができる。
なお、上記した実施形態では、装着側クリップ２の第２支持部材１５内にスイッチ２４およびＬＥＤ２５を設けたが、スイッチ２４およびＬＥＤ２５は、検知側配線５に設けられていてもよい。
【００５２】
また、上記した実施形態では、アース側クリップ３を備えたが、アース側クリップ３を備えずに、アース側配線４および検知側配線５の他端部を、直接、アース電位部材Ｅに電気的に接続してもよい。
また、上記した実施形態では、ＬＥＤ２５を備えているが、ＬＥＤ２５の代わりに、または、ＬＥＤ２５とともに、検知音発生装置の一例として、検知音がメモリされたスピーカを備えてもよい。
【００５３】
検知音としては、例えば、ビープ音などの警告音や、導通を検知した旨の音声アナウンスなどが挙げられる。
このようなアース線１によれば、検知手段が検知側配線５の導通を検知したことを、スピーカからの検知音により確認することができる。
【符号の説明】
【００５４】
１      アース線
２      装着側クリップ
３      アース側クリップ
４      アース側電線
５      検知側電線
１１    第１挟持部材
１２    第２挟持部材
１３    支持部材
２２    スイッチ電極
２４    スイッチ
２５    ＬＥＤ
Ｃ      容器
【図１】
0005478152.tif 000002
【図２】
0005478152.tif 000003
【図３】
0005478152.tif 000004
【図４】
0005478152.tif 000005